(57)【要約】【課題】操作者がプレビュー画像の上下の位置である天地について注意を喚起されやすくすることにより、例えば、両面印刷において天地が間違ったまま画像出力してしまうような印刷の無駄を抑えることができるユーザインタフェース装置を提供する。【解決手段】ユーザインタフェース装置１０は、プレビュー生成部１１、表示制御部１２、および操作表示部１３を備える。プレビュー生成部１１は、スキャナ１が読み取った画像情報からプレビュー画像を生成する。表示制御部１２は、操作表示部１３にプレビュー画像を表示する。操作表示部１３は、回転処理を施すか否かの表示を行って、操作者からの入力を受け付ける。操作表示部１３が回転処理の要求を受け付けた場合、表示制御部１２は回転処理後のプレビュー画像を再び操作表示部１３に表示する。【選択図】        図１
2007200280.tif 000002
【特許請求の範囲】
【請求項１】
入力情報のプレビュー画像を表示する操作表示手段と、
前記操作表示手段に表示されるプレビュー画像を回転させる回転処理要求を受け付ける受付手段と、
前記受付手段が受け付けた前記回転処理要求に従って、前記プレビュー画像を回転させて前記操作表示手段に表示させる処理手段と、
を備えることを特徴とするユーザインタフェース装置。
【請求項２】
前記受付手段は、前記操作表示手段に、前記プレビュー画像を回転させる際の０度を含む回転角度を表示させ、該表示に基づいて選択された回転角度で前記プレビュー画像を回転させる回転処理要求を受け付ける
ことを特徴とする請求項１に記載のユーザインタフェース装置。
【請求項３】
前記プレビュー画像の上下の位置の方向である天地の向きを判定する方向判定手段を、さらに備え、
前記処理手段は、前記方向判定手段によって判定された天地の向きに基づいて、前記プレビュー画像を回転させて前記操作表示手段に表示させる
ことを特徴とする請求項１または２に記載のユーザインタフェース装置。
【請求項４】
前記操作表示手段は、前記プレビュー画像を複数ページで一覧表示し
前記受付手段は、前記複数ページの回転処理要求を受け付け、
前記処理手段は、受け付けられた前記複数ページの回転処理要求に従って前記一覧表示の複数ページを回転させて前記操作表示手段に表示する
ことを特徴とする請求項１〜３のいずれか１つに記載のユーザインタフェース装置。
【請求項５】
前記操作表示手段は、該一覧表示を、所定の配列で表示し、
前記受付手段は、前記複数ページの回転移動要求を受け付ける
ことを特徴とする請求項４に記載のユーザインタフェース装置。
【請求項６】
前記操作表示手段は、前記プレビュー画像に、印刷後の仕上げ処理を施す装置を示す装置アイコン、ならびに、前記仕上げ処理後の状態を表す処理アイコンの少なくともいずれかのアイコンを表示し、
前記受付手段は、前記少なくともいずれかのアイコンの回転を含む移動要求を受け付け、
前記処理手段は、前記移動要求に従って、前記少なくともいずれかのアイコンを、前記プレビュー画像に対して、移動させて前記操作表示手段に表示させる
ことを特徴とする請求項１〜５のいずれか１つに記載のユーザインタフェース装置。
【請求項７】
前記操作表示手段は、前記プレビュー画像に、印刷後の仕上げ処理を施す装置を示す装置アイコン、ならびに、前記仕上げ処理後の状態を表す処理アイコンの少なくともいずれかのアイコンを表示し、
前記受付手段は、前記プレビュー画像の回転を含む移動要求を受け付け、
前記処理手段は、前記移動要求に従って、前記プレビュー画像を、前記少なくともいずれかのアイコンに対して、移動させて前記操作表示手段に表示させる
ことを特徴とする請求項１〜５のいずれか１つに記載のユーザインタフェース装置。
【請求項８】
前記処理手段は、前記入力情報に対して両面印刷が指定される場合、裏面に対応する前記プレビュー画像を前記操作表示手段に鏡像表示で表示させる
ことを特徴とする請求項１〜７のいずれか１つに記載のユーザインタフェース装置。
【請求項９】
前記処理手段は、受け付けられた前記処理設定に基づいて、前記裏面に対応するプレビュー画像に対して、回転移動処理および鏡像処理の少なくとも１つの処理を施して前記操作表示手段に表示させる
ことを特徴とする請求項５〜８のいずれか１つに記載のユーザインタフェース装置。
【請求項１０】
前記処理手段は、前記入力情報に対して両面印刷が指定される場合、裏面に対応する前記プレビュー画像を、当該裏面を表にした状態で前記操作表示手段に表示させる
ことを特徴とする請求項８または９に記載のユーザインタフェース装置。
【請求項１１】
前記操作表示手段に表示されたプレビュー画像の天地の向きに適合する出力媒体を選択する媒体選択手段を、さらに備える
ことを特徴とする請求項１〜１０のいずれか１つに記載のユーザインタフェース装置。
【請求項１２】
前記媒体選択手段は、前記出力媒体の選択を、前記出力媒体を収める媒体容器を選択することによって行う
ことを特徴とする請求項１１に記載のユーザインタフェース装置。
【請求項１３】
ユーザインタフェース装置の画像表示方法において、
操作表示手段によって、入力情報のプレビュー画像を表示する表示工程と、
前記表示工程で表示されたプレビュー画像を回転させる回転処理要求を受け付ける受付工程と、
処理手段によって、前記受付工程が受け付けた前記回転処理要求に従って、前記プレビュー画像を回転させて前記操作表示手段に表示させる処理工程と、
を含むことを特徴とする画像表示方法。
【請求項１４】
前記受付工程は、前記操作表示手段に、前記プレビュー画像を回転させる際の０度を含む回転角度を表示させ、該表示に基づいて選択された回転角度で前記プレビュー画像を回転させる回転処理要求を受け付ける
ことを特徴とする請求項１３に記載の画像表示方法。
【請求項１５】
方向判定手段によって、前記プレビュー画像の上下位置の方向である天地の向きを判定する方向判定工程を、さらに含み、
前記処理工程は、前記方向判定工程で判定された天地の向きに基づいて、前記プレビュー画像を回転移動して前記操作表示手段に表示させる
ことを特徴とする請求項１３または１４に記載の画像表示方法。
【請求項１６】
前記表示工程は、前記プレビュー画像を複数ページで一覧表示し、
前記受付工程は、前記複数ページの回転処理要求を受け付け、
前記処理工程は、受け付けられた前記複数ページの回転移動要求に従って前記一覧表示の複数ページを回転させて前記操作表示手段に表示する
ことを特徴とする請求項１３〜１５のいずれか１つに記載の画像表示方法。
【請求項１７】
前記表示工程は、前記一覧表示を、所定の配列で表示し、
前記受付工程は、前記複数ページの回転移動要求を受け付ける
ことを特徴とする請求項１６に記載の画像表示方法。
【請求項１８】
前記表示工程は、前記プレビュー画像に、印刷後の仕上げ処理を施す装置を示す装置アイコン、ならびに、前記仕上げ処理後の状態を表す処理アイコンの少なくともいずれかのアイコンを表示し、
前記受付工程は、前記少なくともいずれかのアイコンの回転を含む移動要求を受け付け、
前記処理工程は、前記受付工程で受け付けた前記アイコンの回転を含む移動要求に従って、前記少なくともいずれかのアイコンを、表示されたプレビュー画像に対して、移動させて前記操作表示手段に表示させる
ことを特徴とする請求項１３〜１７のいずれか１つに記載の画像表示方法。
【請求項１９】
前記表示工程は、前記プレビュー画像に、印刷後の仕上げ処理を施す装置を示す装置アイコン、ならびに、前記仕上げ処理後の状態を表す処理アイコンの少なくともいずれかのアイコンを表示し、
前記受付工程は、前記プレビュー画像の回転を含む移動要求を受け付け、
前記処理工程は、前記移動要求に従って、前記プレビュー画像を、前記少なくともいずれかのアイコンに対して、移動させて前記操作表示手段に表示させる
ことを特徴とする１３〜１７のいずれか１つに記載の画像表示方法。
【請求項２０】
前記処理工程は、前記入力情報に対して両面印刷が指定される場合、裏面に対応する前記プレビュー画像を前記操作表示手段に鏡像表示で表示させる
ことを特徴とする請求項１３〜１９のいずれか１つに記載の画像表示方法。
【請求項２１】
前記処理工程は、前記受付工程で受け付けられた処理設定に基づいて、前記裏面に対応するプレビュー画像に対して、回転移動処理および鏡像処理の少なくとも１つの処理を施して前記操作表示手段に表示させる
ことを特徴とする請求項１７〜２０のいずれか１つに記載の画像表示方法。
【請求項２２】
請求項１５〜２１のいずれか１つに記載の画像表示方法を、コンピュータに実行させることを特徴とするプログラム。
【発明の詳細な説明】
【技術分野】
【０００１】
本発明は、ユーザインタフェース装置、画像表示方法、およびその方法をコンピュータに実行させるプログラムに関するものである。
【背景技術】
【０００２】
従来、複写装置、ファクシミリ装置、プリンタ装置等の画像処理装置においては、ユーザが画像処理装置の有する機能の中から実行させたい機能を選択し、所望の内容に設定するものであった。例えば、原稿の種類や濃度等の原稿の状態に関する設定、画像の拡大／縮小、片面／両面印刷、余白サイズ等の各種画像処理に関する設定及びソート、ステープル処理、パンチ穴あけ処理等の後処理に関する設定等を受け付けるようになっていた。
【０００３】
従来の画像処理装置は、これらの多種多様な設定をユーザに行わせるために、多数の設定項目を用意し、ユーザはこのような多数の設定項目のなかから意図する処理結果が得られるように設定操作を行う必要があった。
【０００４】
ところが、従来の画像処理装置では、設定内容によって最終的にどのような処理結果、例えば、印刷結果が得られるのかが、実際に印刷出力されないと分からず、予想外の仕上がりになってしまう場合も少なくなかった。
【０００５】
そこで、印刷結果の状態を示すプレビュー画像を表示するプレビュー表示装置（特許文献１参照）が提案されていた。また、紙質の異なる用紙形態の表現される用紙画像データが選択されると、当該選択された用紙画像データに対応した用紙上に画像データが印刷された状態のプレビュー画像を表示する画像処理装置（特許文献２参照）が提案されていた。また、編集処理された複数の画像データを合成して、プレビュー表示する画像形成システム（特許文献３参照）が提案されていた。
【０００６】
これらの従来技術は、いずれも設定内容に応じて画像処理した処理結果の画像を１枚ずつ、あるいは、複数枚を合成してプレビュー表示していた。そして、このようなプレビュー画像を見て設定をやり直す等の操作を行うことで、印刷出力される前に、仕上がり状態を確認して設定操作を行い、意図する画像出力を得ることができるとしている。
【０００７】
【特許文献１】特開２００３−５４７１号公報
【特許文献２】特開２００２−１０３７２６号公報
【特許文献３】特開平１１−２３４５０３号公報
【発明の開示】
【発明が解決しようとする課題】
【０００８】
しかしながら、特許文献１〜３の技術によれば、読み込んでプレビュー表示を行っていたのであるが、原稿の読み込む方向によっては、いざ印刷出力しようとする場合において、印刷する画像の天地が揃っていない場合、せっかく原稿を読み取って操作して印刷処理を施したにもかかわらず、天地が逆に綴じられた乱丁の書類となって印刷全てが無駄になってしまうことが生じてしまう。このため、天地が揃っていないことをプレビュー画像で確認しても、再度、原稿を読み込ませる必要があった。具体的には、以下に説明するような問題が生じていた。
【０００９】
図１８は、従来の画像形成装置で原稿を読み取り、集合印刷した場合を説明する図である。図１９は、従来の画像形成装置で原稿を読み取り、両面印刷した場合を説明する図である。図１８に示すように、原稿を読み取ったプレビュー画像１６１１〜１６１４をこのまま縮小して集合印刷すると、プレビュー画像１６２１および１６２２となり、出力された場合、プレビュー画像１６３１および１６３２となり、ページの配置が左右逆になってしまう。
【００１０】
また、図１９に示すように、原稿を読み取ったプレビュー画像１７１１〜１７１４をこのまま両面印刷すると、プレビュー画像１７２１および１７２２となり、出力された場合、プレビュー画像１７３１および１７３２となり、ページの配置が天地逆になってしまう。これらの従来技術にあっては、原稿の天地を認識していなかったからである。また、操作者による天地の修正の入力が提示されていなく、天地が間違ったまま処理されたからである。
【００１１】
本発明は上記の問題に鑑みてなされその目的は、画像出力する前に、画像の天地の向きを正確に設定し、画像出力時の乱丁による印刷の無駄を排することができるユーザインタフェース装置、画像表示方法、およびその方法をコンピュータに実行させるプログラムを提供することである。
【課題を解決するための手段】
【００１２】
上述した課題を解決し、目的を達成するために、請求項１にかかる発明は、入力情報のプレビュー画像を表示する操作表示手段と、前記操作表示手段に表示されるプレビュー画像を回転させる回転処理要求を受け付ける受付手段と、前記受付手段が受け付けた前記回転処理要求に従って、前記プレビュー画像を回転させて前記操作表示手段に表示させる処理手段と、を備えることを特徴とする。
【００１３】
請求項２にかかる発明は、請求項１に記載のユーザインタフェース装置において、前記受付手段は、前記操作表示手段に、前記プレビュー画像を回転させる際の０度を含む回転角度を表示させ、該表示に基づいて選択された回転角度で前記プレビュー画像を回転させる回転処理要求を受け付けることを特徴とする。
【００１４】
請求項３にかかる発明は、請求項１または２に記載のユーザインタフェース装置において、前記プレビュー画像の上下の位置の方向である天地の向きを判定する方向判定手段を、さらに備え、前記処理手段は、前記方向判定手段によって判定された天地の向きに基づいて、前記プレビュー画像を回転移動して前記操作表示手段に表示させることを特徴とする。
【００１５】
請求項４にかかる発明は、請求項１〜３のいずれか１つに記載のユーザインタフェース装置において、前記操作表示手段は、前記プレビュー画像を複数ページで一覧表示し前記受付手段は、前記複数ページの回転処理要求を受け付け、前記処理手段は、受け付けられた前記複数ページの回転処理要求に従って前記一覧表示の複数ページを回転させて前記操作表示手段に表示することを特徴とする。
【００１６】
請求項５にかかる発明は、請求項４に記載のユーザインタフェース装置において、前記操作表示手段は、該一覧表示を、所定の配列で表示し、前記受付手段は、前記複数ページの回転移動要求を受け付けることを特徴とする。
【００１７】
請求項６にかかる発明は、請求項１〜５のいずれか１つに記載のユーザインタフェース装置において、前記操作表示手段は、前記プレビュー画像に、印刷後の仕上げ処理を施す装置を示す装置アイコン、ならびに、前記仕上げ処理後の状態を表す処理アイコンの少なくともいずれかのアイコンを表示し、前記受付手段は、前記少なくともいずれかのアイコンの回転を含む移動要求を受け付け、前記処理手段は、前記移動要求に従って、前記少なくともいずれかのアイコンを、前記プレビュー画像に対して、移動させて前記操作表示手段に表示させることを特徴とする。
【００１８】
請求項７にかかる発明は、１〜５のいずれか１つに記載のユーザインタフェース装置において、前記操作表示手段は、前記プレビュー画像に、印刷後の仕上げ処理を施す装置を示す装置アイコン、ならびに、前記仕上げ処理後の状態を表す処理アイコンの少なくともいずれかのアイコンを表示し、前記受付手段は、前記プレビュー画像の回転を含む移動要求を受け付け、前記処理手段は、前記移動要求に従って、前記プレビュー画像を、前記少なくともいずれかのアイコンに対して、移動させて前記操作表示手段に表示させることを特徴とする。
【００１９】
請求項８にかかる発明は、請求項１〜７のいずれか１つに記載のユーザインタフェース装置において、前記処理手段は、前記入力情報に対して両面印刷が指定される場合、裏面に対応する前記プレビュー画像を前記操作表示手段に鏡像表示で表示させることを特徴とする。
【００２０】
請求項９にかかる発明は、請求項５〜８のいずれか１つに記載のユーザインタフェース装置において、前記処理手段は、受け付けられた前記処理設定に基づいて、前記裏面に対応するプレビュー画像に対して、回転移動処理および鏡像処理の少なくとも１つの処理を施して前記操作表示手段に表示させるものであることを特徴とする。
【００２１】
請求項１０にかかる発明は、請求項８または９に記載のユーザインタフェース装置において、前記処理手段は、裏面に対応する前記プレビュー画像を、当該裏面を表にした状態で前記操作表示手段に表示させるものであることを特徴とする。
【００２２】
請求項１１にかかる発明は、請求項１〜１０のいずれか１つに記載のユーザインタフェース装置において、前記操作表示手段に表示されたプレビュー画像の天地の向きに適合する出力媒体を選択する媒体選択手段を、さらに備えるものであることを特徴とする。
【００２３】
請求項１２にかかる発明は、請求項１１に記載のユーザインタフェース装置において、前記媒体選択手段は、前記出力媒体の選択を、前記出力媒体を収める媒体容器を選択することによって行うものであることを特徴とする。
【００２４】
請求項１３にかかる発明は、ユーザインタフェース装置の画像表示方法において、ユーザインタフェース装置の画像表示方法において、操作表示手段によって、入力情報のプレビュー画像を表示する表示工程と、前記表示工程で表示されたプレビュー画像を回転させる回転処理要求を受け付ける受付工程と、処理手段によって、前記受付工程が受け付けた前記回転処理要求に従って、前記プレビュー画像を回転させて前記操作表示手段に表示させる処理工程と、を含むことを特徴とする。
【００２５】
請求項１４にかかる発明は、請求項１３に記載の画像表示方法において、前記受付工程は、前記操作表示手段に、前記プレビュー画像を回転させる際の０度を含む回転角度を表示させ、該表示に基づいて選択された回転角度で前記プレビュー画像を回転させる回転処理要求を受け付けることを特徴とする。
【００２６】
請求項１５にかかる発明は、請求項１３または１４に記載の画像表示方法において、方向判定手段によって、前記プレビュー画像の上下位置の方向である天地の向きを判定する方向判定工程を、さらに含み、前記処理工程は、前記方向判定工程で判定された天地の向きに基づいて、前記プレビュー画像を回転移動して前記操作表示手段に表示させることを特徴とする。
【００２７】
請求項１６にかかる発明は、請求項１３〜１５のいずれか１つに記載の画像表示方法において、前記表示工程は、前記プレビュー画像を複数ページで一覧表示し、前記受付工程は、前記複数ページの回転処理要求を受け付け、前記処理工程は、受け付けられた前記複数ページの回転移動要求に従って前記一覧表示の複数ページを回転させて前記操作表示手段に表示することを特徴とする。
【００２８】
請求項１７にかかる発明は、請求項１６に記載の画像表示方法において、前記表示工程は、前記一覧表示を、所定の配列で表示し、前記受付工程は、前記複数ページの回転移動要求を受け付けることを特徴とする。
【００２９】
請求項１８にかかる発明は、請求項１３〜１７のいずれか１つに記載の画像表示方法において、前記表示工程は、前記プレビュー画像に、印刷後の仕上げ処理を施す装置を示す装置アイコン、ならびに、前記仕上げ処理後の状態を表す処理アイコンの少なくともいずれかのアイコンを表示し、前記受付工程は、前記少なくともいずれかのアイコンの回転を含む移動要求を受け付け、前記処理工程は、前記受付工程で受け付けた前記アイコンの回転を含む移動要求に従って、前記少なくともいずれかのアイコンを、表示されたプレビュー画像に対して、移動させて前記操作表示手段に表示させることを特徴とする。
【００３０】
請求項１９にかかる発明は、請求項１３〜１７のいずれか１つに記載の画像表示方法において、前記表示工程は、前記プレビュー画像に、印刷後の仕上げ処理を施す装置を示す装置アイコン、ならびに、前記仕上げ処理後の状態を表す処理アイコンの少なくともいずれかのアイコンを表示し、前記受付工程は、前記プレビュー画像の回転を含む移動要求を受け付け、前記処理工程は、前記移動要求に従って、前記プレビュー画像を、前記少なくともいずれかのアイコンに対して、移動させて前記操作表示手段に表示させることを特徴とする。
【００３１】
請求項２０にかかる発明は、請求項１３〜１９のいずれか１つに記載の画像表示方法において、前記処理工程は、前記入力情報に対して両面印刷が指定される場合、裏面に対応する前記プレビュー画像を前記操作表示手段に鏡像表示で表示させることを特徴とする。
【００３２】
請求項２１にかかる発明は、請求項１７〜２０のいずれか１つに記載の画像表示方法において、前記処理工程は、前記受付工程で受け付けられた処理設定に基づいて、前記裏面に対応するプレビュー画像に対して、回転移動処理および鏡像処理の少なくとも１つの処理を施して前記操作表示手段に表示させることを特徴とする。
【００３３】
請求項２２にかかる発明は、プログラムにおいて、請求項１５〜２１のいずれか１つに記載の画像表示方法を、コンピュータに実行させることを特徴とする。
【発明の効果】
【００３４】
請求項１にかかる発明によれば、入力情報のプレビュー画像を表示し、回転処理要求を受け付け、回転処理後の表示を行うので、操作者がプレビュー画像の上下の位置関係である天地について注意を喚起されやすく、天地の間違いによる出力の無駄を抑えることができるという効果を奏する。
【００３５】
請求項２にかかる発明によれば、プレビュー画像を回転させる際の０度を含む回転角度を表示することにより、回転しない場合を含めた回転処理を画面上で提示するので、操作者は、表示されたプレビュー画像の上下の位置関係である天地について注意を喚起されやすく、天地の間違いによる出力の無駄を抑えることができるという効果を奏する。
【００３６】
請求項３にかかる発明によれば、プレビュー画像での天地の向きを自動的に判定して、プレビュー画像を回転して表示するので、天地の間違いによる出力の無駄を抑えることができるという効果を奏する。
【００３７】
請求項４にかかる発明によれば、プレビュー画像を複数のページによる一覧表示して複数ページの回転要求を受け付け、回転させて表示するので、一覧表示にした場合でも操作者がプレビュー画像の上下の位置関係である天地について注意を喚起されやすく、天地の間違いによる出力の無駄を抑えることができるという効果を奏する。
【００３８】
請求項５にかかる発明によれば、所定の配列で一覧表示して複数ページの回転移動要求を受け付けるので、所定の配列においても操作者がプレビュー画像の上下の位置関係である天地について注意を喚起されやすく、天地の間違いによる出力の無駄を抑えることができるという効果を奏する。
【００３９】
請求項６にかかる発明によれば、プレビュー画像に、印刷後の仕上げ処理を施す装置を示す装置アイコンや、装置による処理後の状態を表す処理アイコンを表示して、アイコンの回転を含む移動要求を受け付け、アイコンを、プレビュー画像に対して移動させて表示させるので、各種の印刷処理を施した場合にも操作者がプレビュー画像の上下の位置関係である天地について注意を喚起されやすく、天地の間違いによる出力の無駄を抑えることができるという効果を奏する。
【００４０】
請求項７にかかる発明によれば、プレビュー画像に、印刷後の仕上げ処理を施す装置を示す装置アイコンや、装置による処理後の状態を表す処理アイコンを表示して、プレビュー画像の回転を含む移動要求を受け付け、プレビュー画像を、アイコンに対して移動させて表示させるので、各種の印刷処理を施した場合でも操作者がプレビュー画像の上下の位置関係である天地について注意を喚起されやすく、天地の間違いによる出力の無駄を抑えることができるという効果を奏する。
【００４１】
請求項８にかかる発明によれば、入力情報に対して両面印刷が指定される場合、裏面に対応する鏡像表示されるので、天地や裏表の間違いによる出力の無駄を抑えることができるという効果を奏する。
【００４２】
請求項９にかかる発明によれば、印刷後の仕上げ処理の設定に基づいて、裏面に対応するプレビュー画像に対して、回転処理や鏡像処理を施し、両面印刷で印刷後の処理を施した場合も、天地や鏡像処理を正しく施して表示するので、天地の間違いによる出力の無駄を抑えることができるという効果を奏する。
【００４３】
請求項１０にかかる発明によれば、裏面に対応するプレビュー画像を、当該裏面を表にした状態で表示させるので、操作者がプレビュー画像の上下の位置関係である天地について注意を喚起されやすく、天地の間違いによる出力の無駄を抑えることができるという効果を奏する。
【００４４】
請求項１１にかかる発明によれば、表示されたプレビュー画像の天地の向きに適合する出力媒体を選択するので、天地の間違いによる印刷出力の無駄を抑えることができるという効果を奏する。
【００４５】
請求項１２にかかる発明によれば、表示されたプレビュー画像の天地の向きに適合する出力媒体の選択を収容する媒体容器の選択によって行うので、天地の間違いによる印刷出力の無駄を抑えることができるという効果を奏する。
【００４６】
請求項１３にかかる発明によれば、入力情報のプレビュー画像を表示し、回転処理要求を受け付け、回転処理後の表示を行うので、操作者がプレビュー画像の上下の位置関係である天地について注意を喚起されやすく、天地の間違いによる出力の無駄を抑えることができるという効果を奏する。
【００４７】
請求項１４にかかる発明によれば、プレビュー画像を回転させる際の０度を含む回転角度を表示することにより、回転しない場合を含めて回転処理を画面上で提示するので、操作者は、表示されたプレビュー画像の上下の位置関係である天地について注意を喚起されやすく、天地の間違いによる出力の無駄を抑えることができるという効果を奏する。
【００４８】
請求項１５にかかる発明によれば、プレビュー画像での天地の向きを自動的に判定して、プレビュー画像を回転して表示するので、天地の間違いによる出力の無駄を抑えることができるという効果を奏する。
【００４９】
請求項１６にかかる発明によれば、プレビュー画像を複数のページによる一覧表示して複数ページの回転要求を受け付け、回転させて表示するので、一覧表示にした場合でも操作者がプレビュー画像の上下の位置関係である天地について注意を喚起されやすく、天地の間違いによる出力の無駄を抑えることができるという効果を奏する。
【００５０】
請求項１７にかかる発明によれば、所定の配列で一覧表示して複数ページの回転移動要求を受け付けるので、所定の配列においても操作者がプレビュー画像の上下の位置関係である天地について注意を喚起されやすく、天地の間違いによる出力の無駄を抑えることができるという効果を奏する。
【００５１】
請求項１８にかかる発明によれば、プレビュー画像に、印刷後の仕上げ処理を施す装置を示す装置アイコンや、装置による処理後の状態を表す処理アイコンを表示して、アイコンの回転を含む移動要求を受け付け、アイコンを、プレビュー画像に対して移動させて表示させるので、各種の印刷処理を施した場合にも操作者がプレビュー画像の上下の位置関係である天地について注意を喚起されやすく、天地の間違いによる出力の無駄を抑えることができるという効果を奏する。
【００５２】
請求項１９にかかる発明によれば、プレビュー画像に、印刷後の仕上げ処理を施す装置を示す装置アイコンや、装置による処理後の状態を表す処理アイコンを表示して、プレビュー画像の回転を含む移動要求を受け付け、プレビュー画像を、アイコンに対して移動させて表示させるので、各種の印刷処理を施した場合でも操作者がプレビュー画像の上下の位置関係である天地について注意を喚起されやすく、天地の間違いによる出力の無駄を抑えることができるという効果を奏する。
【００５３】
請求項２０にかかる発明によれば、入力情報に対して両面印刷が指定される場合、裏面に対応するプレビュー画像が鏡像表示されるので、天地や裏表の間違いによる出力の無駄を抑えることができるという効果を奏する。
【００５４】
請求項２１にかかる発明によれば、印刷後の仕上げ処理の設定に基づいて、裏面に対応するプレビュー画像に対して、回転処理や鏡像処理を施し、両面印刷で印刷後の処理を施した場合も、天地や鏡像処理を正しく施して表示するので、天地の間違いによる出力の無駄を抑えることができるという効果を奏する。
【００５５】
請求項２２にかかる発明によれば、請求項１５〜２１のいずれか１つに記載の画像表示方法を、コンピュータに実行させることができるという効果を奏する。
【発明を実施するための最良の形態】
【００５６】
以下に添付図面を参照して、この発明にかかるユーザインタフェース装置、画像表示方法、およびその方法をコンピュータに実行させるプログラムの最良な実施の形態を、実施の形態１〜４、および変形例１〜４に沿って詳細に説明する。
【００５７】
（１．実施の形態１）
（１．１．ユーザインタフェース装置の構成）
実施の形態１によるユーザインタフェース装置は、画像形成装置が読み込んだ入力情報をプレビュー画像として表示し、原稿画像の上下の位置である天地の向きが正しいか否かの確認を提示し、かつ回転処理を受け付けて処理後の回転した画像を再び表示する。これによって、操作者は、原稿画像を読み込んで原稿の天地の向きが間違ったまま印刷してしまう誤操作による無駄を防ぐことができる。
【００５８】
図１は、実施の形態１によるユーザインタフェース装置を備えた画像形成装置の機能的ブロック図である。画像形成装置は、スキャナ１、画像処理部２、出力処理部３、画像出力部４、メモリ（ＨＤＤ）５、およびユーザインタフェース装置１０を備える。
【００５９】
スキャナ１は、原稿画像を読み取る。スキャナ１は、副走査方向に移動する原稿に読取光を照射し、その反射光をＣＣＤ（Ｃｈａｒｇｅ  Ｃｏｕｐｌｅｄ  Ｄｅｖｉｃｅ）等の光電変換素子で光電変換することによって、当該原稿の画像を読み取る。スキャナ１は、搭載する複数枚の原稿を一枚ずつ送り出すＡＤＦ（Ａｕｔｏ  Ｄｏｃｕｍｅｎｔ  Ｆｅｅｄｅｒ）を備えている場合、ＡＤＦから送られてくる原稿を順次、アナログ画像データとして読み取って、画像処理部２に送信する。
【００６０】
画像処理部２は、スキャナ１が読み取ったアナログデータを受信し、デジタル画像データに変換して画像記憶部５に出力し、それと共に、ユーザインタフェース装置１０に送信する。
【００６１】
画像記憶部５は、大容量のＲＡＭ（Ｒａｎｄｏｍ  Ａｃｃｅｓｓ  Ｍｅｍｏｒｙ）やハードディスク（ＨＤＤ）等の大容量記憶媒体で構成され、スキャナ１が読み取った画像データをファイル毎に分類して格納する。
【００６２】
ユーザインタフェース装置１０は、スキャナ１が読み取った画像情報を入力してプレビュー画像として表示し、回転処理を受け付けて処理の後プレビュー画像を再び表示する。また、ユーザインタフェース装置１０は、画像出力に関する各種の処理設定を受け付ける。
【００６３】
出力処理部３は、ユーザインタフェース装置１０によって受け付けられた処理設定に基づいて、入力画像データに対して出力処理を施す。また、出力処理部３は、画像データに対してガンマ変換など各種の必要な画像処理を施す。画像出力部４は、出力処理部３によって施された出力処理の設定に従って画像出力する。ここで、画像出力部４が施す出力処理は、出力用紙に画像形成して画像出力するだけでなく、ステープル処理、パンチ穴空け処理など、印刷後の後処理も含む。
【００６４】
実施の形態１によるユーザインタフェース装置１０は、プレビュー生成部１１、表示制御部１２、および操作表示部１３を備える。
【００６５】
プレビュー生成部１１は、スキャナで読み取った画像情報から、操作表示部１３で表示するプレビュー画像情報を生成する。また、プレビュー生成部１１は、プレビュー画像に対して回転処理を施すか否かを確認させる情報を生成する。プレビュー画像としては、入力した画像情報から、操作表示部１３において表示するだけの情報量に間引くなどして生成する。プレビュー生成部１１は、生成したプレビュー画像情報をＨＤＤ５に記憶する。
【００６６】
表示制御部１２は、プレビュー生成部１１が生成したプレビュー画像情報および回転処理の確認情報を、操作表示部１３に表示させる。ここで、確認情報としては、文字によって「回転しますか？」という表示であっても良く、あるいはデザインされたアイコン形状で表示としても良い。ここでは、以下、確認アイコンと称する。
【００６７】
操作表示部１３は、プレビュー生成部１１が生成したプレビュー画像情報を表示する。また、操作表示部１３は、表示された確認アイコンからの接触入力によって、回転、あるいは非回転の指定を受け付ける。
【００６８】
操作表示部１３は、例えば、液晶ディスプレイ等が用いられ、液晶モニタの上部に、タッチパネルを配置して構成できる。操作表示部１３は、各種操作キーおよび仕上がり画像表示部分（例えば、液晶ディスプレイ）上に配設されたタッチパネルを有する。操作キーやタッチパネルからは、画像処理装置の操作を行うのに必要な各種操作が行われるとともに、特に、ユーザが印刷したい原稿に対する原稿画像の画像処理（画像加工）、印刷条件に関する設定、後処理に関する設定等の各種設定操作が受け付けられる。
【００６９】
ここで、プレビュー生成部１１は、確認アイコン情報を生成せずに、操作表示部１３が指定を受け付ける設定スイッチ（不図示）から、回転および非回転の指定を受け付ける構成とすることもできる。
【００７０】
図２は、実施の形態１によるユーザインタフェース装置において原稿をプレビュー表示した一例を示す模式図である。操作表示部１３のモニタ部分１００には、プレビュー画像１５０が表示されている。このプレビュー画像１５０において、情報として意味のある領域は点線で示した領域１６０で、文書画像と写真画像１６５〜１６７が表示されている。
【００７１】
また、図２に示すように、操作表示部１３には、入力情報に対して施す各種の処理項目として、ステープル１１１、パンチ１１２、とじしろ調整１１３、わく消去１１４、スタンプ１１５、およびページ番号１１６の各処理の項目を画面の右側に表示させている。
【００７２】
また、操作表示部１３は、回転１２０、出力カラー１２１、出力濃度１２２、用紙１２３、拡大／縮小１２４、片面／両面１２５、集約１２６、ソート／スタック１２７、および地肌１２８の各処理の項目を画面の左側に表示させている。また、回転操作を受け付けるアイコンを、回転アイコン１２０ａおよび１２０ｂの形で表示する。これらは接触により入力を受け付けるが、表示部以外において、それぞれの処理を受け付けるボタン形式としても良い。
【００７３】
（１．２．プレビュー画像の表示）
図３は、プレビュー画像を表示して回転処理を受け付けることを説明する図である。スキャナ１で読み取った複数の原稿は、プレビュー画像２１１〜２１４として操作表示部１３に表示される。それと同時に、操作者に対して回転処理を施すか否かを提示する情報である確認アイコン２０１が表示される。この確認アイコン２０１には、回転角度０°、９０°、１８０°、および２７０°（符号２０２）が表示される。ここでは、角度は時計回りの回転とする。時計回りに直角に回転させる場合は、９０°の情報を接触入力する。
【００７４】
回転処理を施さない場合は、０°を接触入力する。回転処理を施さないことも操作者に確認させることは、誤操作を防ぐことに資するからである。０°の表示の他に、直接的な表示で「非回転」を提示して入力を要求することもできる。
【００７５】
操作表示部１３は、操作者による９０°の回転の接触入力を検出する。表示制御部１２は、操作表示部１３が検出したこの接触入力に従って、プレビュー画像情報に対して回転処理を施し、再び、回転後の画像２２１〜２２４を表示する。ここで、集合印刷が設定された場合、プレビュー表示された２枚ずつの画像が縦の天地を揃えて、横長に合わせられて表示（符号２３１および２３２）される。そして、印刷実行のスイッチ（不図示）が押下されると、画面では印刷により重ねて出力されることを模式的に示すプレビュー画像２４１および２４２が表示されて、操作者に出力状態を知らせる。表示制御部１２は、回転処理を施した処理後の画像情報を順次、ＨＤＤ５に格納する。
【００７６】
（１．３．手順）
図４は、実施の形態１によるユーザインタフェース装置におけるプレビュー画像表示手順を説明するフローチャートである。ユーザインタフェース装置は、先ず、スキャナ１が画像情報を読み取って画像処理部２によって画像情報に変換されると、プレビュー生成部１１は、操作表示部１３に表示するためのプレビュー画像情報を生成する（ステップＳ１０１）。ここて、プレビュー画像情報は、スキャナ１が読み込んで画像処理部２がデジタル情報に変換した入力情報から、情報を間引いて情報量を減らすことによって生成できる。
【００７７】
表示制御部１２は、プレビュー生成部１１が生成した入力情報のプレビュー画像を、操作表示部１３に表示させるとともに、プレビュー画像に対して回転処理を受け付ける回転処理情報（符号２０２）を表示し（ステップＳ１０２）、かつ、表示された回転処理情報２０２から回転処理要求を受け付ける（ステップＳ１０３）。
【００７８】
ここで、操作表示部１３が、回転処理要求を受け付けた場合（ステップＳ１０３のＹｅｓ）、表示制御部１２は、操作表示部１３が受け付けた回転処理要求に従って、プレビュー画像情報に対して回転処理を施し、操作表示部１３に再び回転処理後のプレビュー画像を表示させる（ステップＳ１０４）。操作表示部１３が、回転処理要求を受け付けなかった場合（ステップＳ１０３のＮｏ）、そのまま終了して印刷の実行などに移行する。ここで、０°の回転を受け付けた場合は、非回転が指定されたものとする。
【００７９】
（１．４．効果）
このように実施の形態１によるユーザインタフェース装置によれば、プレビュー画像を表示して、画像の上下の位置である天地の向きが正しいか否かの確認を操作表示部１３において提示して操作者に注意を喚起させ、かつ回転処理を受け付けて処理後の回転した画像を再び表示することによって、原稿画像を読み込んで原稿の天地の向きが間違ったまま印刷してしまう誤操作による印刷の無駄を排することができる。
【００８０】
（変形例１）
ここでは、図３に示したように、プレビュー画像を複数ページで一覧表示して、複数ページを一括して回転処理要求を受け付けて、操作表示部１３に一覧表示の複数ページを一括して回転させる構成とすることができる。
【００８１】
また、プレビュー画像を複数ページで一覧表示して、それぞれのページは別々に回転処理要求を受け付けて、それぞれのページを回転させる構成とすることもできる。
【００８２】
また、操作表示部１３は、プレビュー表示する一覧表示を、所定の配列で表示し、複数ページの回転移動要求を受け付ける構成とすることができる。例えば、奇数ページと偶数ページに従って、天地をそれぞれ逆にしてプレビュー表示する構成とすることもできる。
【００８３】
また、奇数ページと偶数ページに天地が逆に表示されている状態から、操作表示部１３は、偶数ページのみを一括して１８０°回転する設定を受け付け、表示制御部１２は、受け付けた回転要求に従って該ページを１８０°回転させて表示する構成とすることもできる。
【００８４】
このようにして、読み取った原稿の順番に従って天地の配置に規則性のあるものについては、この規則性に従って回転処理を施すことが望ましい。
【００８５】
（２．実施の形態２）
図５は、実施の形態２によるユーザインタフェース装置の機能的ブロック図である。実施の形態２によるユーザインタフェース装置２０が実施の形態１と異なる点は、プレビュー画像の上下の位置である天地の向きを判定する方向判定部２４を、さらに備え、表示制御部１２は、方向判定部２４によって判定された天地の向きに従って、プレビュー画像を回転移動して操作表示部１３に表示させることである。
【００８６】
方向判定部２４は、入力した画像データに対して、文字画像、写真画像、図表画像、およびその他の画像のうちいずれの画像種であるかを解析し、解析した結果に基づいて、画像情報に関する上下の位置である天地の向きを判定する。
【００８７】
方向判定部２４は、たとえば、文字画像であると判定した場合、文字認識機能によって文字を認識して天地を判定する。あるいは、ページ数が付加されていると判定した場合、ページ数の場所と数字を認識して天地を判定する。また、方向判定部２４は、写真画像であると判定した場合、色彩を解析し、空の青さによって天地を判定する。
【００８８】
あるいは、方向判定部２４は、写真画像であると判定した場合において、人間の顔を判別する顔判別機能によって人間の顔であると判別した場合、判別した顔の位置関係によって天地を判定する。また、エッジ部と、濃淡の差が激しい領域であることを検出することによって、図表画像であることを検出し、検出した図表画像を解析して天地を判定する。これらは公知技術であるので、詳細な説明を省略する。
【００８９】
表示制御部１２は、例えば、図３に示したように、原稿が読み込まれた状態では横長のプレビュー画像２１１〜２１４を表示するのであるが、ここで、２枚を縦に合わせて横長にする集合印刷が設定された場合、方向判定部２４によって判定された天地の向きに従って、プレビュー画像を回転させ、９０°回転したプレビュー画像（２２１〜２２４）を表示する。
【００９０】
図６は、実施の形態２によるユーザインタフェース装置におけるプレビュー画像表示手順を説明するフローチャートである。プレビュー生成部１１は、入力情報からプレビュー画像情報を生成する（ステップＳ２０１）。ここで、方向判定部２４は、入力情報によって画像の天地を判定する（ステップＳ２０２）。そして、表示制御部１２は、設定された印刷出力項目と、方向判定部２４によって判定された天地の向きとに従って、生成されたプレビュー画像情報に対して回転処理を施し（ステップＳ２０３）、操作表示部１３に表示させる（ステップＳ２０４）。このステップＳ２０４以下は実施の形態１による場合のステップＳ１０３以下と同様であるので、説明を省略する。
【００９１】
このように、実施の形態２によるユーザインタフェース装置によれば、入力情報から画像の天地を自動的に判定し、判定された天地の向きにプレビュー画像を表示することによって、スキャナで読み込んだ画像に対して自動的に天地を判定して、正しい天地の向きに画像を回転させて表示することができるので、原稿画像を読み込んで原稿の天地の向きを間違ったまま印刷してしまうという誤操作による印刷の無駄を排することができる。
【００９２】
（３．実施の形態３）
実施の形態３によるユーザインタフェース装置が、実施の形態１と異なる点は、表示制御部１２は、プレビュー画像またはプレビュー画像の近傍に、ステープラ処理、パンチ穴処理、およびスタンプ処理を含むプリントメディア処理装置を示す装置アイコン、あるいはプリントメディア処理後の状態を表す処理アイコンを表示させることである。操作表示部１３は、これらのアイコンの回転を含む移動要求を受け付け、表示制御部１２は、アイコンの回転を含む移動要求に従ってアイコンを、プレビュー画像に対して移動させて操作表示部１３に表示させる。
【００９３】
これによって、パンチ穴などの処理装置のアイコン、またはパンチ穴処理したことなどを示す処理後のアイコンなどを表示し、プレビュー画像に対して、このアイコンを回転させて表示することによって、印刷処理に関連する位置をプレビュー画面上で表示し、操作者に操作による処理と出力画像の天地の位置についての注意を喚起することができる。
【００９４】
ここで、移動には回転移動、直線的並進移動など種々の移動の概念を含むが、回転移動と直線移動とによって画面上で必要な位置にアイコンを移動させることができるので、回転移動と直線移動について説明する。
【００９５】
図７は、実施の形態３によるユーザインタフェース装置において、プレビュー画像が推移する一例を示す模式図である。画面５１０において、原稿画像の束が部分的に重なった状態でプレビュー画像５１１が示される。プレビュー生成部１１は、各ページのプレビュー画像情報をこのように一部分重ね合わせるような形態で表示させることは公知技術である。
【００９６】
プレビュー画像５１１に対して、表示されたステープル装置５１２に操作者が指で接触したままステープル装置５２２の位置にまで移動させ、ステープル装置５２２が、この位置で出力画像に対してステープル処理を施すことがプレビュー画像上で視認できる。
【００９７】
図８は、実施の形態３によるユーザインタフェース装置で、プレビュー画像が推移する他の一例を示す模式図である。画面６１０において、原稿画像の束が部分的に重なった状態でプレビュー画像６１１が示されている。ステープル装置６１２は、操作者の指によって接触したまま画像６２０に示したステープル装置６２２の位置にまで回転移動を含めて移動させる。操作者による回転移動の操作は、例えば、２本の指を接触したままコンパスが回転するように回転させることによって、入力するように構成できる。
【００９８】
図９は、実施の形態３によるユーザインタフェース装置で、プレビュー画像が推移するさらに他の一例を示す模式図である。画面７１０において、原稿画像のプレビュー画像７１１に対して、ステープル装置７１２および７１３が左側でステープル処理を施される位置に表示されている。これらのステープル装置７１２および７１３に対して、操作者が指によって接触したまま、画像７２０に示したステープル位置７２２および７２３にまで回転移動を含めて移動させる。移動は、例えば、２本の指を接触したままコンパスが回転するように回転させながら移動させることによって、入力するように構成できる。
【００９９】
このように、プレビュー画像に対して、ステープル装置のように印刷後に処理を施す処理装置をアイコンなどの形態でプレビュー画像とともに表示し、移動する表示を受け付けることによって、プレビュー画像の天地が判然としやすくなるので、原稿を読み込んで出力する画像の天地の向きを間違ったまま印刷して乱丁になってしまう誤操作による印刷の無駄を排することができる。
【０１００】
（変形例２）
ここで、原稿のプレビュー画像に対して上記のアイコン画像を回転させる表示と異なって、上記のアイコン画像を基準にして、読み取った原稿であるプレビュー画像を回転など移動させて表示することができる。人間の一般的な操作としては、例えばパンチ穴を打つ操作を想定する場合、書類を基準にしてパンチ器を動かして穴を空けるよりも、パンチ器を机上で固定して書類を動かして処理する場合が起こり得るからである。このように、人間の操作の自然な動作の流れに操作表示部１３での表示を合わせる方が、よりユーザフレンドリーなユーザインタフェース装置となる場合が多い。
【０１０１】
図１０は、変形例２によるユーザインタフェース装置で表示が推移する一例を示す模式図である。画面８１０において、パンチ穴装置８１２に対して、原稿画像のプレビュー画像８１１を、操作者が指によって接触したまま、画像８２０に示したプレビュー画像位置８２１にまで移動させる。
【０１０２】
図１１は、変形例２によるユーザインタフェース装置で、プレビュー画像が推移する他の一例を示す模式図である。画面９１０において、パンチ穴装置９１２を基準にして、原稿画像のプレビュー画像９１１を操作者が指によって接触したまま、画像９２０に示した原稿のプレビュー画像９２１の位置まで、回転させて移動させる。
【０１０３】
このように、パンチ穴装置などの処理装置の画像に対して、原稿のプレビュー画像を操作表示部１３上で移動操作を行う表示形態にすることによって、画面上というバーチャルな領域での操作でありながらも、印刷物の束をパンチ穴装置に近づけるという現実の操作の流れに近い感覚で処理後のプレビュー画像を表示することができるので、プレビュー画像の天地が判然となりやすく、原稿画像を読み込んで原稿の天地の向きを間違ったまま印刷してしまうという誤操作による印刷の無駄を排することができる。
【０１０４】
（４．実施の形態４）
実施の形態４によるユーザインタフェース装置が、実施の形態１と異なる点は、入力情報に対して両面印刷が指定される場合、表示制御部１２は、裏面については裏面から見た鏡像表示で操作表示部１３に表示させる点である。
【０１０５】
また、表示制御部４２は、裏面のプレビュー画像については、両面印刷の設定および印刷後の処理設定に基づいて、プレビュー画像の天地および鏡像処理を行い、操作表示部１３に表示する。
【０１０６】
図１２は、実施の形態４によるユーザインタフェース装置で、両面印刷のプレビュー画像の表示を説明する模式図である。スキャナ１によって読み取られた画像情報は、プレビュー生成部１１によってプレビュー画像情報が生成され、表示制御部１２によって、画像１０１１〜１０１４として操作表示部１３の画面１０００に表示される。ここで、操作者の回転メニュー１０５０を介する入力により、回転処理の要求が受け付けられ、表示制御部１２は、プレビュー画像を回転してプレビュー画像０２１〜１０２４として表示する。
【０１０７】
ここで、表示制御部１２は、さらに、両面印刷が指定されていることを検出した場合、裏面に相当するプレビュー画像１０２２および１０２４を、左右が逆の鏡像変換処理を施して、プレビュー画像１０２１および１０２３にそれぞれ重畳した形態（符号１０３１および１０３２）で表示させる。さらに、実際に印刷入力を受け付けた場合、両面印刷がなされて束ねられたことを示すプレビュー画像１０４１および１０４２として表示する。
【０１０８】
図１３は、両面印刷にパンチ穴を空ける操作のプレビュー画像の模式図である。両面印刷が設定されて、かつ、パンチ穴の設定がなされた場合、スキャナ１によって読み取られた画像情報は、プレビュー画像１０１１およびパンチ穴装置１０１２のように示される。ここで、操作者は、２本の指をコンパスで円を描くように接触入力して、パンチ穴装置１０１２を回転させ、かつ並進移動させてパンチ穴装置１０５２の位置に移動させる。
【０１０９】
パンチ穴装置１０１２の画像と、原稿のプレビュー画像１０１１とを表示することによって、両面印刷で且つパンチ穴処理を施す場合において、両面印刷物の束に対してパンチ穴装置を近づけるという現実感覚に近い操作方法で両面印刷処理操作をプレビュー画像で表示することができるので、実際の操作に近い形態での操作を介して、印刷画像の天地について注意を喚起され、原稿画像を読み込んで原稿の天地の向きを間違ったまま印刷してしまうという誤操作による印刷の無駄を排することができる。
【０１１０】
図１４は、両面印刷でかつパンチ穴を上端に空ける場合のプレビュー画像の処理の一例を示す模式図である。図１５は、両面印刷および印刷後の処理項目に対応してプレビュー画像の処理を決定する対応テーブルの模式図である。
【０１１１】
原稿が読み取られて、表示制御部１２は、表示面１２００においてプレビュー画像１２１１〜１２１４を表示する。ここで、原稿の上端にパンチ穴処理が指定された場合、表示制御部１２は、図１５に示した対応テーブルを参照して、各ページのプレビュー画像の処理を決定する。図１５から、ここではパンチ穴処理であって、処理位置は上端であるのでテーブルから、表示制御部１２は、最初のプレビュー画像１２１１については天地は順方向、かつ非鏡像に設定する。次の、プレビュー画像１２１２については、同様に、テーブルから、表示制御部１２は、天地は逆方向、かつ鏡像に設定する。
【０１１２】
この設定によって、パンチ穴処理を施した両面印刷のプレビュー画像は、プレビュー画像１２２１〜１２２４となる。さらに、ここで実際にページをめくった状態のプレビュー画像１２３１〜１２３４のように表示することが望ましい。即ち、裏面に対応するプレビュー画像を、当該裏面を表にした状態で表示させることが望ましい。両面印刷を表示する際、裏面のページについては、例えば半透明にするなどして、表面のページでないことを表示することが望ましい。
【０１１３】
このようにして、両面印刷でかつ編集後の状態をプレビュー画像で天地および鏡像処理が明示的に示されるので、操作者が確認する機会を提供でき、誤操作による無駄の少ないユーザインタフェース装置となる。
【０１１４】
（変形例３）
図１６は、変形例３によるユーザインタフェース装置の機能的ブロック図である。変形例３によるユーザインタフェース装置は、操作表示部１３に表示されたプレビュー画像の天地の向きに適合する出力と例を選択する用紙トレイ選択部４６を、さらに備える。
【０１１５】
プレビュー画像によって示された方向に適合する用紙トレイを選択することによって、印刷の用紙および用紙の向きを適合させることができる。ここで、用紙トレイを選択することによって、用紙トレイの中に収められた出力媒体を選択する。
【０１１６】
（変形例４）
本発明のユーザインタフェース装置は、画像形成装置に対してのみ適用されるものではなく、例えば、デジタルカメラ、プリンタ、ファクシミリ装置などのように、入力情報を表示画面でプレビュー表示させて画像出力する機器に対して、広く適用することができる。
【０１１７】
（５．ハードウェア構成など）
図１７は、実施の形態によるユーザインタフェース装置を備えた画像形成装置のハードウェア構成を示すブロック図である。この画像形成装置は、ファックスやスキャナなどの複合的機能を備える複合機（ＭＦＰ）として構成されている。図に示すように、このＭＦＰは、コントローラ２２１０とエンジン部２２６０とをＰＣＩ（Ｐｅｒｉｐｈｅｒａｌ  Ｃｏｍｐｏｎｅｎｔ  Ｉｎｔｅｒｃｏｎｎｅｃｔ）バスで接続した構成となる。コントローラ２２１０は、ＭＦＰ全体の制御、画像表示制御、各種制御、画像処理制御など、ＦＣＵＩ／Ｆ２２３０、操作表示部１３からの入力を制御するコントローラである。エンジン部２２６０は、ＰＣＩバスに接続可能な画像処理エンジンなどであり、例えば取得した画像データに対して誤差拡散やガンマ変換などの画像処理部分が含まれる。
【０１１８】
コントローラ２２１０は、ＣＰＵ２２１１と、ノースブリッジ（ＮＢ）２２１３と、システムメモリ（ＭＥＭ−Ｐ）２２１２と、サウスブリッジ（ＳＢ）２２１４と、ローカルメモリ（ＭＥＭ−Ｃ）２２１７と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２２１６と、ハードディスクドライブ５とを有し、ノースブリッジ２２１３とＡＳＩＣ２２１６との間をＡＧＰ（Ａｃｃｅｌｅｒａｔｅｄ  Ｇｒａｐｈｉｃｓ  Ｐｏｒｔ）バス２２１５で接続した構成となる。また、ＭＥＭ−Ｐ２２１２は、ＲＯＭ（Ｒｅａｄ  Ｏｎｌｙ  Ｍｅｍｏｒｙ）２２１２ａと、ＲＡＭ（Ｒａｎｄｏｍ  Ａｃｃｅｓｓ  Ｍｅｍｏｒｙ）２２１２ｂとをさらに有する。
【０１１９】
ＣＰＵ２２１１は、ＭＦＰの全体制御を行うものであり、ＮＢ２２１３、ＭＥＭ−Ｐ２２１２およびＳＢ２２１４からなるチップセットを有し、このチップセットを介して他の機器と接続される。
【０１２０】
ＮＢ２２１３は、ＣＰＵ２２１１とＭＥＭ−Ｐ２２１２、ＳＢ２２１４、ＡＧＰ２２１５とを接続するためのブリッジであり、ＭＥＭ−Ｐ２２１２に対する読み書きなどを制御するメモリコントローラと、ＰＣＩマスタおよびＡＧＰターゲットとを有する。
【０１２１】
ＭＥＭ−Ｐ２２１２は、プログラムやデータの格納用メモリ、プログラムやデータの展開用メモリなどとして用いるシステムメモリであり、ＲＯＭ４４６とＲＡＭ２２１２ｂとからなる。ＲＯＭ２２１２ａは、プログラムやデータの格納用メモリとして用いる読み出し専用のメモリであり、ＲＡＭ２２１２ｂは、プログラムやデータの展開用メモリ、画像処理時の画像描画メモリなどとして用いる書き込みおよび読み出し可能なメモリである。
【０１２２】
ＳＢ２２１４は、ＮＢ２２１３とＰＣＩデバイス、周辺デバイスとを接続するためのブリッジである。このＳＢ２２１４は、ＰＣＩバスを介してＮＢ２２１３と接続されており、このＰＣＩバスには、ＦＣＵＩ／Ｆ２２３０なども接続される。
【０１２３】
ＡＳＩＣ２２１６は、マルチメディア情報処理用のハードウェア要素を有するマルチメディア情報処理用途向けのＩＣ（Ｉｎｔｅｇｒａｔｅｄ  Ｃｉｒｃｕｉｔ）であり、ＡＧＰ２２１５、ＰＣＩバス、ＨＤＤ５およびＭＥＭ−Ｃ２２１７をそれぞれ接続するブリッジの役割を有する。
【０１２４】
このＡＳＩＣ２２１６は、ＰＣＩターゲットおよびＡＧＰマスタと、ＡＳＩＣ２２１６の中核をなすアービタ（ＡＲＢ）と、ＭＥＭ−Ｃ２２１７を制御するメモリコントローラと、ハードウェアロジック等により画像データの回転などを行う複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部２２６０との間でＰＣＩバスを介してＵＳＢ（Ｕｎｉｖｅｒｓａｌ  Ｓｅｒｉａｌ  Ｂｕｓ）２２４０、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４インタフェース２２５０が接続される。
【０１２５】
ＭＥＭ−Ｃ２２１７は、送信用画像バッファ、符号バッファとして用いるローカルメモリであり、ＨＤＤ５は、画像データの蓄積、プログラムの蓄積、フォントデータの蓄積、フォームの蓄積を行うためのストーレジである。
【０１２６】
ＡＧＰ２２１５は、グラフィック処理を高速化するために提案されたグラフィックスアクセラレータカード用のバスインタフェースであり、ＭＥＭ−Ｐ２２１２に高スループットで直接アクセスすることにより、グラフィクスアクセラレータカードを高速にするものである。
【０１２７】
ＡＳＩＣ２２１６に接続する操作表示部１３は、操作者からの操作入力を受け付けて、ＡＳＩＣ２２１６に受け付けられた操作入力情報を送信する。
【０１２８】
なお、実施の形態によるユーザインタフェース装置を組み込んだＭＦＰで実行されるメニュー表示プログラムは、ＲＯＭ等に予め組み込まれて提供される。
【０１２９】
実施の形態によるユーザインタフェース装置を組み込んだＭＦＰで実行されるメニュー表示プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１３０】
さらに、実施の形態によるユーザインタフェース装置を組み込んだＭＦＰで実行される画像表示プログラムを、インターネット等のネットワークに接続されたコンピュータ上に格納し、ネットワーク経由でダウンロードさせることにより提供するように構成しても良い。また、実施の形態によるユーザインタフェース装置を組み込んだＭＦＰで実行される画像表示プログラムをインターネット等のネットワーク経由で提供または配布するように構成しても良い。
【０１３１】
実施の形態によるユーザインタフェース装置を組み込んだＭＦＰで実行される画像表示プログラムは、上述した各部（プレビュー生成部１１、表示制御部１２、方向判定部２４用紙トレイ選択部４６など）を含むモジュール構成となっており、実際のハードウェアとしてはＣＰＵ（プロセッサ）が上記ＲＯＭから画像表示プログラムを読み出して実行することにより上記各部が主記憶装置上に、プレビュー生成部１１、表示制御部１２、方向判定部２４用紙トレイ選択部４６などが主記憶装置上に生成されるようになっている。
【０１３２】
以上説明した本発明の実施の形態あるいは変形例は、説明のための一例であって、本発明はここに説明したこれらの具体例に限定されるものではない。
【産業上の利用可能性】
【０１３３】
以上のように、本発明にかかるユーザインタフェース装置、画像表示方法、およびその方法をコンピュータに実行させるプログラムは、電子機器のインタフェース技術に有用であり、特に、入力情報を表示して設定を行う電子機器のインタフェース技術に適している。
【図面の簡単な説明】
【０１３４】
【図１】実施の形態１によるユーザインタフェース装置を備えた画像形成装置の機能的ブロック図である。
【図２】実施の形態１によるユーザインタフェース装置において原稿をプレビュー表示した一例を示す模式図である。
【図３】プレビュー画像を表示して回転処理を受け付けることを説明する図である。
【図４】実施の形態１によるユーザインタフェース装置におけるプレビュー画像表示手順を説明するフローチャートである。
【図５】実施の形態２によるユーザインタフェース装置の機能的ブロック図である。
【図６】実施の形態２によるユーザインタフェース装置におけるプレビュー画像表示手順を説明するフローチャートである。
【図７】実施の形態３によるユーザインタフェース装置で、プレビュー画像が推移する一例を示す模式図である。
【図８】実施の形態３によるユーザインタフェース装置で、プレビュー画像が推移する他の一例を示す模式図である。
【図９】実施の形態３によるユーザインタフェース装置で、プレビュー画像が推移するさらに他の一例を示す模式図である。
【図１０】変形例２によるユーザインタフェース装置で表示が推移する一例を示す模式図である。
【図１１】変形例２によるユーザインタフェース装置で、プレビュー画像が推移する他の一例を示す模式図である。
【図１２】実施の形態４によるユーザインタフェース装置で、両面印刷のプレビュー画像の表示を説明する模式図である。
【図１３】両面印刷にパンチ穴を空ける操作のプレビュー画像の模式図である。
【図１４】両面印刷でかつパンチ穴を上端に空ける場合のプレビュー画像の処理の一例を示す模式図である。
【図１５】両面印刷および印刷後の処理項目に対応してプレビュー画像の処理を決定する対応テーブルの模式図である。
【図１６】変形例３によるユーザインタフェース装置の機能的ブロック図である。
【図１７】実施の形態によるユーザインタフェース装置を備えた画像形成装置のハードウェア構成を示すブロック図である。
【図１８】従来の画像形成装置で原稿を読み取り、集合印刷した場合を説明する図である。
【図１９】従来の画像形成装置で原稿を読み取り、両面印刷した場合を説明する図である。
【符号の説明】
【０１３５】
１  スキャナ
２  画像処理部
３  出力処理部
４  画像出力部
５  ＨＤＤ
１０、３０、４０  ユーザインタフェース装置
１１  プレビュー生成部
１２  表示制御部
２４  方向判定部
４６  用紙トレイ選択部
【図１】
2007200280.tif 000003
【図２】
2007200280.tif 000004
【図３】
2007200280.tif 000005
【図４】
2007200280.tif 000006
【図５】
2007200280.tif 000007
【図６】
2007200280.tif 000008
【図７】
2007200280.tif 000009
【図８】
2007200280.tif 000010
【図９】
2007200280.tif 000011
【図１０】
2007200280.tif 000012
【図１１】
2007200280.tif 000013
【図１２】
2007200280.tif 000014
【図１３】
2007200280.tif 000015
【図１４】
2007200280.tif 000016
【図１５】
2007200280.tif 000017
【図１６】
2007200280.tif 000018
【図１７】
2007200280.tif 000019
【図１８】
2007200280.tif 000020
【図１９】
2007200280.tif 000021